(57)【要約】【課題】  この発明は、２個のホッパーを持つようなカード発行装置において第２のホッパーから繰り出されたカードを通信ヘッド部まで搬送動作を止めることなく連続的に搬送し、搬送時間の短縮を可能にするものである。【解決手段】  第２ホッパー２から繰り出され第１のホッパー１の天井部に導かれたカードを、第１繰り出し用ローラ３により通信ヘッド部へ導き、通信ヘッド部先端部に設けたローラがカードを咥えることにより、カードの押し出し力を発生させ、その力により揺動可能な通信ヘッド部がカードに大きな負荷がかからない位置まで揺動しながらカードを搬送するようにしたものである。【選択図】図１
2007004351.tif 000002
【特許請求の範囲】
【請求項１】
電子データを記録した半導体記録素子を組み込んだカードを積層状態に保留する第1のホッパー及び第２のホッパーと、上記第１のホッパーの繰り出し口前方に配置され、カードに組み込まれた半導体記録素子に非接触で読込書き込みする通信ヘッド部と、上記カードをホッパーから搬送経路に沿って移動させるための制御信号を送出する制御装置を備えたカード発行装置であって、上記第１のホッパーの上部に第１のカード繰り出し用ローラを設け、その第1のカード繰り出し用ローラを上下動させる機構、及び制御装置を設け、第１のホッパーの繰り出し口の後方に第２のホッパーを上方向に少なくともカード一枚の厚み分ずらした位置に並べて配置し、第２のホッパーの上部に第２のカード繰り出しローラを設け、その第２のカード繰り出し用ローラを上下動させる機構、及び制御装置を設け、第１のホッパーの天井上面を前記第２のホッパーから通信ヘッド部に導く搬送路の一部として配置し、また、上記通信ヘッド部には、カードの厚さ方向に対して揺動可能となる原点自動復帰機構を設け、通信ヘッド部先端部には、カード咥えローラを設けたカード発行装置。
【発明の詳細な説明】
【技術分野】
【０００１】
本発明は、複数のホッパーを有するカード発行装置に関する。
【背景技術】
【０００２】
従来、複数のホッパーを有するカード発行機において、第１のホッパーの繰り出し口から繰り出されたカードは、第１の搬送路を通って通信ヘッド部に導き、第２のホッパーの繰り出し口から繰り出したカードは、第２の搬送路を通って第1の搬送路との交差する位置まで搬送し、その後第１の搬送路を経て通信ヘッド部に導いていた。（たとえば、特許文献１）
【特許文献１】特開平４−７６９１号公報（第１図Ａ）
【発明の開示】
【発明が解決しようとする課題】
【０００３】
第２のホッパーから繰り出したカードを第1の経路と交差する位置に導くときには、第１の搬送路の駆動を停止し、第２のホッパーから繰り出されたカードが所定の位置に位置決めされたあと、第１の搬送路を再起動させていたので、第２のホッパーから繰り出されたカードを搬送する時は、間欠的な動作となり、また、搬送時間も多く要していた。
本発明は、上述した点に鑑みて創案されたもので、その目的とするところは、第２のホッパーから繰り出されたカードを通信ヘッド部まで連続的に搬送し、搬送時間を短縮する装置を提供することにある。
解決しようとする問題点は、第２のホッパーから繰り出されたカードを搬送する時は、間欠的な動作となり、また、搬送時間も多く要していた点である。
【課題を解決するための手段】
【０００４】
本発明においては、上記課題を次のようにして解決する。
本発明のカード発行装置は電子データを記録した半導体記録素子を組み込んだカードを積層状態に保留する第1ホッパー及び第２ホッパー、上記第１ホッパーの繰り出し口前方に配置されカードに組み込まれた半導体記録素子に非接触で読込書き込みする通信ヘッド部、上記カードをホッパーから搬送経路に沿って移動させるための制御信号を送出する制御装置が設けられ、上記第１ホッパーの上部に第1繰り出しローラを設け、その第１繰り出しローラを上下動させる機構、及び制御装置を設け、第１ホッパーの繰り出し口の後方に第２ホッパーを上方向に少なくともカード一枚の厚み分ずらした位置に並べて配置し、第２ホッパーの上部に第２繰り出しローラを設け、その第２繰り出しローラを上下動させる機構、及び制御装置を設け、第１ホッパーの天井上面を前記第２ホッパーから通信ヘッド部に導く搬送路の一部として配置し、上記通信ヘッド部にはカードの厚さ方向に対して揺動可能となる原点自動復帰機構を設け、通信ヘッド部先端部にはカード咥えローラを設けた形態で構成されている。
【発明の効果】
【０００５】
以上のように、本発明においては、第２ホッパーから繰り出されたカードを通信ヘッド部まで搬送動作を止めることなく連続的に搬送し、搬送時間を短縮できる利点がある。
【発明を実施するための最良の形態】
【０００６】
以下、本発明の一実施例について図面を参照して説明する。
【０００７】
図１は本発明によるカード発行装置の内部構成図である。
【０００８】
本発明によるカード発行装置は、第１ホッパー１と第２ホッパー２が第１ホッパー１の天井上面を第２のホッパーから繰り出されたカードの搬送路の一部として配置され、それぞれのホッパー上部に上下動の制御可能な第１繰り出しローラ３、第２繰り出しローラ４が設けられている。
全回転駆動を同時に行なう構成であるため第２繰出しローラ４は上下動の制御をしているが、別駆動にして第１ホッパー１からカードを繰り出す際に第２繰出しローラ４を回転させない制御をする場合、第２繰出しローラ４は上下動の制御の必要は無く、カードの繰り出し位置固定で良い。
【０００９】
第１ホッパー１のカード出口前方に通信ヘッド部５が設けられている。通信ヘッド部５はカード厚さ方向に揺動可能となる原点自動復帰機構を設けている。自動復帰機構はカードがホッパーから完全に抜け出た時に、自重もしくはバネにより原点へ戻る機構である。原点は第１ホッパー１出口の高さとなっている。通信ヘッド部５の前方に印刷部７、カード出口８が順に設けられている。
【００１０】
カード繰り出しについて図２に示すフローチャートを参照しつつ説明する。
【００１１】
第１ホッパー１からカードを繰り出すことを選択した場合、第１繰り出しローラ３がカード面まで下降し、回転することにより第１ホッパー１からカードが繰り出される。繰り出されたカードは通信ヘッド部のカード咥えローラ６に咥えられ通信ヘッド下へ導かれる。
【００１２】
次に第２ホッパー２からカードを繰り出すことを選択した場合、第２繰り出しローラ４がカード面まで下降し、回転することにより第２ホッパー２からカードが繰り出される。繰り出されたカードは第２ホッパーから繰り出されたカードの搬送路となる第１のホッパー１の天井上面に導かれる。この時、第１繰り出しローラ３の高さをホッパー天井にあるカードに対してカード搬送に必要な押圧をかけて搬送できる第１ホッパー天井上面のカード搬送時のローラ位置１０に上昇させることにより、第２ホッパー２から繰り出され、第１ホッパー天井部に導かれたカードは第１繰り出しローラ３と第１ホッパー天井上面に挟まれる形で搬送される。
【００１３】
第１ホッパー天井上面に導かれたカードは第１繰り出しローラ３によって通信ヘッド部５に導かれ通信ヘッド部先端部に設けたカード咥えローラ６に咥えられるとカードの押し出し力によって、通信ヘッド部がカードに大きな負荷がかからない位置まで揺動し、その位置でカードは搬送され、通信ヘッド下へと導かれる。
【００１４】
通信ヘッド部５に導かれたカードはデータのリード／ライト作業を行い、終了後印刷部７へ搬送される。カードは印刷部７で印刷された後、出口８へと導かれる。
【図面の簡単な説明】
【００１５】
【図１】カード発行装置の一実施例の内部構成図
【図２】ホッパーからのカード繰り出し時の各部動作を説明するフローチャート
【符号の説明】
【００１６】
１      第１ホッパー
２      第２ホッパー
３      第１繰り出しローラ
４      第２繰り出しローラ
５      通信ヘッド部
６      カード咥えローラ
７      印刷部
８      出口
９      第１ホッパーから繰り出す時のローラ位置
１０      第１ホッパー天井上面のカード搬送時のローラ位置
【図１】
2007004351.tif 000003
【図２】
2007004351.tif 000004